(57)【要約】【課題】メインシャーシに対してトラバースシャーシを回動可能に支持する構造に関して、コスト低減を実現できる光ディスク装置を提供する。【解決手段】トラバースシャーシ２の後端には、左右方向の２個所で後方へ向けて突出する第１突起２１が形成され、メインシャーシ１には、その各第１突起２１に対応する位置にそれぞれ前方に開口する第１収容凹部１１が形成されている。トラバースシャーシ２は、各第１突起２１にそれぞれ第１緩衝部材３１が被せられ、その各第１緩衝部材３１がそれぞれメインシャーシ１の第１収容凹部１１に挿入されて嵌め込まれることにより、メインシャーシ１に支持される。【選択図】図１
2007220223.tif 000002
【特許請求の範囲】
【請求項１】
光ディスクが収納されるメインシャーシと、
このメインシャーシに後端近傍を支持され、その支持個所を支点に回動して前記メインシャーシ内に収納された前記光ディスクの記録面に対し接近／離間移動するトラバースシャーシと、
このトラバースシャーシに支持されて前記光ディスクの記録面に沿う径方向に往復移動する光ピックアップユニットと、
前記トラバースシャーシの前端部に取り付けられ、前記トラバースシャーシの回動の駆動を司るシフトレバーと、を備えた光ディスク装置において、
前記トラバースシャーシの後端には、左右方向の２個所で後方へ向けて突出する円柱状の第１突起が形成され、前記メインシャーシには、その各第１突起に対応する位置にそれぞれ前方に開口する第１収容凹部が形成されており、
前記トラバースシャーシは、前記各第１突起にそれぞれゴム製の第１緩衝部材が被せられ、その各第１緩衝部材がそれぞれ前記メインシャーシの前記第１収容凹部に挿入されて嵌め込まれることにより、前記メインシャーシに支持されていて、
前記トラバースシャーシの前端には、左右方向の２個所で前方へ向けて突出する円柱状の第２突起が形成され、前記シフトレバーには、その各第２突起に対応する位置にそれぞれ後方に開口する第２収容凹部が形成されており、
前記シフトレバーは、前記トラバースシャーシの前記各第２突起にそれぞれゴム製の第２緩衝部材が被せられ、その各第２緩衝部材がそれぞれ前記第２収容凹部に挿入されて嵌め込まれることにより、前記トラバースシャーシに取り付けられていて、
前記第１、第２緩衝部材は、前記第１、第２突起が挿入されて嵌め込まれる穴を有した直方体状であり、前記第１、第２収容凹部の上下面には、前後方向に延在する突条が２本形成されていることを特徴とする光ディスク装置。
【請求項２】
光ディスクが収納されるメインシャーシと、
このメインシャーシに後端近傍を支持され、その支持個所を支点に回動して前記メインシャーシ内に収納された前記光ディスクの記録面に対し接近／離間移動するトラバースシャーシと、
このトラバースシャーシに支持されて前記光ディスクの記録面に沿う径方向に往復移動する光ピックアップユニットと、を備えた光ディスク装置において、
前記トラバースシャーシの後端には、左右方向の少なくとも２個所で後方へ向けて突出する第１突起が形成され、前記メインシャーシには、その各第１突起に対応する位置にそれぞれ前方に開口する第１収容凹部が形成されており、
前記トラバースシャーシは、前記各第１突起にそれぞれ第１緩衝部材が被せられ、その各第１緩衝部材がそれぞれ前記メインシャーシの前記第１収容凹部に挿入されて嵌め込まれることにより、前記メインシャーシに支持されることを特徴とする光ディスク装置。
【請求項３】
前記第１緩衝部材がゴム製であることを特徴とする請求項２に記載の光ディスク装置。
【請求項４】
前記第１緩衝部材は、前記第１突起が挿入されて嵌め込まれる穴を有した直方体状であり、前記第１収容凹部の上下面のうちの少なくとも一方には、前後方向に延在する突条が複数本形成されていることを特徴とする請求項２又は３に記載の光ディスク装置。
【請求項５】
前記第１突起が円柱状であることを特徴とする請求項２から４のいずれかに記載の光ディスク装置。
【請求項６】
前記トラバースシャーシの前端部に取り付けられ、前記トラバースシャーシの回動の駆動を司るシフトレバーを備え、
前記トラバースシャーシの前端には、左右方向の少なくとも２個所で前方へ向けて突出する第２突起が形成され、前記シフトレバーには、その各第２突起に対応する位置にそれぞれ後方に開口する第２収容凹部が形成されており、
前記シフトレバーは、前記トラバースシャーシの前記各第２突起にそれぞれ第２緩衝部材が被せられ、その各第２緩衝部材がそれぞれ前記第２収容凹部に挿入されて嵌め込まれることにより、前記トラバースシャーシに取り付けられることを特徴とする請求項２から５のいずれかに記載の光ディスク装置。
【請求項７】
前記第２緩衝部材がゴム製であることを特徴とする請求項６に記載の光ディスク装置。
【請求項８】
前記第２緩衝部材は、前記第２突起が挿入されて嵌め込まれる穴を有した直方体状であり、前記第２収容凹部の上下面のうちの少なくとも一方には、前後方向に延在する突条が複数本形成されていることを特徴とする請求項６又は７に記載の光ディスク装置。
【請求項９】
前記第２突起が円柱状であることを特徴とする請求項６から８のいずれかに記載の光ディスク装置。
【発明の詳細な説明】
【技術分野】
【０００１】
本発明は、情報記録媒体であるＣＤやＤＶＤ等の光ディスクに対して情報の再生や記録を行うための光ディスク装置に関する。
【背景技術】
【０００２】
一般に、光ディスク装置は、クランプした光ディスクを回転させ、その光ディスクの記録面にレーザー光を出射してその記録面上に情報を書き込んだり（記録）、更に光ディスクの記録面で反射したレーザー光を受光してその記録面上の情報を読み取ったり（再生）するものであり、図７に示すように、大きくは、固定のメインシャーシ１と、可動のトラバースシャーシ２とから外形が構成される（例えば、特許文献１参照）。メインシャーシ１は、例えばポリスチレン（ＰＳ）等の合成樹脂の成形品であり、このメインシャーシ１には、ディスクトレイ（不図示）が前面（図７では下部）から内外へ挿脱可能に支持されている。そして、メインシャーシ１の外部へ引き出されたディスクトレイ上に光ディスクが載置され、そのディスクトレイがメインシャーシ１の内部へ送り込まれることによって、メインシャーシ１内に光ディスクが収納される。
【０００３】
続いて、トラバースシャーシ２は、例えばポリフェニレンエーテル（ＰＰＥ）等の合成樹脂の成形品であり、メインシャーシ１に対し、後端（図７では上側の端）近傍を左右２個所で緩衝部材１３１を介在して支持され、その支持個所を支点として回動可能になっている。その緩衝部材１３１によるトラバースシャーシ２の支持構造の詳細については後述する。トラバースシャーシ２は、光ディスクが収納されたメインシャーシ１に対して回動（図７では紙面に垂直な方向に回動）することで、その光ディスクの記録面に対して接近／離間移動するように昇降し、最上昇した状態で光ディスクがクランプされる。
【０００４】
ここでのトラバースシャーシ２の回動は、以下に示すような構成によって行われる。トラバースシャーシ２の前端（回動中心となる方の一端とは反対側の端、すなわち図７では下側の端）部には、左右２個所で緩衝部材１３２を介在してシフトレバー７が一体的に取り付けられており、このシフトレバー７からは、例えば円柱状の突軸が前方に突出している。その緩衝部材１３２によるシフトレバー７の取付け構造の詳細については後述する。一方メインシャーシ１には、トラバースシャーシ２の前端の前方に、カム溝を有するカムスライダ６が、トラバースシャーシ２の左右方向にスライド移動可能に支持されている。そのカムスライダ６のカム溝に、トラバースシャーシ２と一体のシフトレバー７の突軸が係合している。そして、カムスライダ６のスライド移動に従って突軸がカム溝に沿って案内され、これによりトラバースシャーシ２が回動する。つまり、トラバースシャーシ２の回動は、カムスライダ６のスライド移動に従って行われる。
【０００５】
ここでのカムスライダ６のスライド移動の駆動は、以下に示すような構成によってなされる。トラバースシャーシ２には、その側部（図７では右側の側部）にモータ（不図示）が搭載されており、このモータの主軸４に固定されたピニオンギア５Ａに１つが噛み合いつつ、互いが噛み合って概ね前後方向に連なる第１従動ギア５Ｂ、第２従動ギア５Ｃ、第３従動ギア５Ｄが軸支されている。一方メインシャーシ１には、その最前部の第３従動ギア５Ｄと噛合可能なトレイギア８が軸支されている。また、カムスライダ６の端部（図７では右側の端部）には、スライド移動の方向と同じ方向である左右方向に延在するラックが形成されている。そのラックには、カムスライダ６が一方の移動端の近傍から他方の移動端の近傍まで移動する間、トレイギア８が噛合い、その反面、カムスライダ６が両移動端に位置しているときには、そのトレイギア８との噛合いが外れるようになっている。
【０００６】
そして、上記モータからの駆動力が第３従動ギア５Ｄに伝達されて、互いに噛合う第３従動ギア５Ｄとトレイギア８とが回転し、その回転するトレイギア８にカムスライダ６のラックが噛合うことによって、カムスライダ６がスライド移動するようになる。こうして、カムスライダ６がスライド移動し、そのスライド移動に従いトラバースシャーシ２が昇降する。その際、第３従動ギア５Ｄは、トレイギア８と互いに噛合いつつ摺動しながら、トラバースシャーシ２と共に昇降する。
【０００７】
また、トラバースシャーシ２には、光ディスクの記録面に記録されている情報を読み取ったり、その記録面に情報を書き込んだりするための光ピックアップユニット３が搭載されている。この光ピックアップユニット３は、大きくは、レーザー光を出射する半導体レーザー等の光源、光源からのレーザー光に基づく光ディスクからの反射光を最終的に受光して検出し電気信号に変換するフォトダイオード等の光検出器、光源からのレーザー光を光ディスクの反射を経て光検出器まで導く回折格子やハーフミラーや対物レンズ等の光学系、これらの各部品が取り付けられたベース部材、より構成される。
【０００８】
その光ピックアップユニット３の構成要素であるベース部材は、トラバースシャーシ２に対し、光ディスクの記録面に沿う径方向となる前後方向に延在するガイド軸やガイドレールに支持されており、その径方向に往復移動可能になっている。つまり、光ピックアップユニット３全体がトラバースシャーシ２に支持され、光ディスクの記録面に沿う径方向に往復移動するようになっている。
【０００９】
ここでの光ピックアップユニット３の移動の駆動は、トラバースシャーシ２に搭載されている上記モータからの駆動力によって行われる。例えば、光ピックアップユニット３におけるベース部材の側部にスライドラック３ａが取り付けられており、そのスライドラック３ａに、トラバースシャーシ２に軸支されて上記モータからの駆動力が伝達される第１従動ギア５Ｂが噛合うことにより、その第１従動ギア５Ｂの回転に従い光ピックアップユニット３が移動する。その際、トラバースシャーシ２が最上昇した状態であり、カムスライダ６のラックとトレイギア８との噛合いが外れるとともに、そのトレイギア８と第３従動ギア５Ｄとの噛合いが外れている。従って、上記モータからの駆動力によって第３従動ギア５Ｄは回転する一方、トレイギア８及びカムスライダ６は停止している。
【００１０】
なお、上記モータからの駆動力は、ディスクトレイの挿脱移動にも活用される。例えば、ディスクトレイには、その側部で前後方向に延在するトレイ用ラックが設けられている。そして、そのトレイ用ラックにトレイギア８が噛合うことにより、そのトレイギア８の回転に従いディスクトレイが前後方向に移動する。その際、トラバースシャーシ２が最下降した状態であり、カムスライダ６のラックとトレイギア８との噛合いが外れている。従って、上記モータからの駆動力によって第３従動ギア５Ｄ及びトレイギア８は回転する一方、カムスライダ６は停止している。
【００１１】
また、トラバースシャーシ２には、トラバースシャーシ２が最上昇した状態で光ディスクをクランプして回転させるために、光ディスクの中心付近をクランプするターンテーブル９や、このターンテーブル９に回転力を与えるスピンドルモータが搭載されている。
【００１２】
ところで、このような光ディスク装置では、光ピックアップユニット３の駆動、トラバースシャーシ２の駆動及びディスクトレイの駆動が、いずれも１つのモータの駆動力によりなされるわけであるが、各々の駆動に際してそのモータの駆動を適正に制御するために、エンコーダＥが適用されている。
【００１３】
このエンコーダＥは、モータの主軸４に固定のピニオンギア５Ａに取り付けられた円板状のスリット板Ｓと、このスリット板Ｓの外周縁部を上下から挟み込むように配置されたフォトインタラプタＰ（ＰＩ；Photo Interrupter）とより構成される。スリット板Ｓには、放射状に多数のスリットが形成されている。フォトインタラプタＰは、専用のプリント回路基板（以下、「ＰＩ基板」と記すことがある）ＰＢにハンダ付けされて実装されており、このＰＩ基板ＰＢは、トラバースシャーシ２上に立てた状態で取り付けられている。ここでのＰＩ基板ＰＢは、光ディスク装置全体の動作を制御する制御部に接続されている。
【００１４】
このような構成のもと、モータの駆動すなわちその主軸４の回転に従ってスリット板Ｓが回転するわけであるが、その際、フォトインタラプタＰの間を通過するスリットが順次検出され、それに応じたパルス信号がＰＩ基板ＰＢから出力される。制御部は、そのパルス信号を受けてそのパルス数をカウントし、光ピックアップユニット３、トラバースシャーシ２及びディスクトレイ各々の駆動に適正な駆動信号（例えばモータへの電圧値に関する信号）をモータへ与える。なお、図７中の符号ＳＷは、光ピックアップユニット３が光ディスクの内周端位置に達しているか否かを検出する内周端検知スイッチであり、この内周端検知スイッチＳＷのオン／オフ出力された時点が、ＰＩ基板ＰＢからのパルス信号をカウントする際の基準点として用いられる。
【００１５】
さて、メインシャーシ１へのトラバースシャーシ２の回動可能な支持は、従来、以下のようになされる。トラバースシャーシ２は、メインシャーシ１に対し、その後端近傍の左右２個所において、緩衝部材１３１を個々に介在した状態でそれぞれビス１４１によってねじ止めされて取り付けられ、これにより回動可能に支持される。
【００１６】
その構造を具体的に説明すると、図８、図９に示すように、ここで用いられる緩衝部材１３１は、柔軟なゴム等で成形された概ね円筒状のものであって、その外周に環状溝１３１ａが形成されている。トラバースシャーシ２の後端部には、左右２個所に、緩衝部材１３１の環状溝１３１ａとほぼ同径で、上下方向に貫通する貫通穴１２１が設けられている。各貫通穴１２１は、その一部が後方に開放している。一方メインシャーシ１には、トラバースシャーシ２の各貫通穴１２１の位置に対応して、ねじ穴１１１が設けられている。
【００１７】
そして、緩衝部材１３１がその環状溝１３１ａをトラバースシャーシ２の貫通穴１２１に嵌め込まれ、その緩衝部材１３１の内穴にビス１４１が挿し込まれる。そのままビス１４１がメインシャーシ１のねじ穴１１１にねじ込まれる。こうして、トラバースシャーシ２は、その後端近傍を緩衝部材１３１を介在してメインシャーシ１に支持され、緩衝部材１３１が許容する弾性変形によりその支持個所を支点として回動可能になる。
【００１８】
また、トラバースシャーシ２へのシフトレバー７の取付けは、従来、以下のようになされる。シフトレバー７は、トラバースシャーシ２に対し、その左右２個所において、緩衝部材１３２を個々に介在した状態でそれぞれビス１４２によってねじ止めされて取り付けられる。
【００１９】
その構造を具体的に説明すると、図１０、図１１に示すように、ここで用いられる緩衝部材１３２は、上記したメインシャーシ１へのトラバースシャーシ２の支持に用いられる緩衝部材１３１と同様に、柔軟なゴム等で成形された概ね円筒状のものであって、その外周に環状溝１３２ａが形成されている。シフトレバー７には、左右２個所に、ねじ穴１７１が設けられている。一方トラバースシャーシ２の前端部には、シフトレバー７の各ねじ穴１７１の位置に対応して、緩衝部材１３２の環状溝１３２ａとほぼ同径で、上下方向に貫通する貫通穴１２２が設けられている。各貫通穴１２２は、その一部が前方に開放している。
【００２０】
そして、緩衝部材１３２がその環状溝１３２ａをトラバースシャーシ２の貫通穴１２２に嵌め込まれ、その緩衝部材１３２の内穴にビス１４２が挿し込まれる。そのままビス１４２がシフトレバー７のねじ穴１７１にねじ込まれる。こうして、シフトレバー７は、緩衝部材１３２を介在してトラバースシャーシ２の前端部に取り付けられる。
【特許文献１】特開２００５−１５８２０３号公報
【発明の開示】
【発明が解決しようとする課題】
【００２１】
ところで、近年の光ディスク装置には、より一層のコスト低減が求められている。特に、メインシャーシに対してトラバースシャーシを回動可能に支持する構造に関しては、従来は、上記したようにビス１４１が必要であることから、必然的に部品点数が嵩み、コスト低減が制約されていた。また、ビス１４１をねじ込む作業は、ある程度十分な時間が必要とされることから、組立て作業効率を悪化させる要因、ひいてはコストを悪化させる要因の１つであった。
【００２２】
そこで本発明は、上記の問題に鑑みてなされたものであり、メインシャーシに対してトラバースシャーシを回動可能に支持する構造に関して、コスト低減を実現できる光ディスク装置を提供することを目的とするものである。
【課題を解決するための手段】
【００２３】
上記目的を達成するため、本発明による光ディスク装置は、光ディスクが収納されるメインシャーシと、このメインシャーシに後端近傍を支持され、その支持個所を支点に回動して前記メインシャーシ内に収納された前記光ディスクの記録面に対し接近／離間移動するトラバースシャーシと、このトラバースシャーシに支持されて前記光ディスクの記録面に沿う径方向に往復移動する光ピックアップユニットと、前記トラバースシャーシの前端部に取り付けられ、前記トラバースシャーシの回動の駆動を司るシフトレバーと、を備えた光ディスク装置において、次の点を特徴とする。前記トラバースシャーシの後端には、左右方向の２個所で後方へ向けて突出する円柱状の第１突起が形成され、前記メインシャーシには、その各第１突起に対応する位置にそれぞれ前方に開口する第１収容凹部が形成されており、前記トラバースシャーシは、前記各第１突起にそれぞれゴム製の第１緩衝部材が被せられ、その各第１緩衝部材がそれぞれ前記メインシャーシの前記第１収容凹部に挿入されて嵌め込まれることにより、前記メインシャーシに支持されている。前記トラバースシャーシの前端には、左右方向の２個所で前方へ向けて突出する円柱状の第２突起が形成され、前記シフトレバーには、その各第２突起に対応する位置にそれぞれ後方に開口する第２収容凹部が形成されており、前記シフトレバーは、前記トラバースシャーシの前記各第２突起にそれぞれゴム製の第２緩衝部材が被せられ、その各第２緩衝部材がそれぞれ前記第２収容凹部に挿入されて嵌め込まれることにより、前記トラバースシャーシに取り付けられている。そして、前記第１、第２緩衝部材は、前記第１、第２突起が挿入されて嵌め込まれる穴を有した直方体状であり、前記第１、第２収容凹部の上下面には、前後方向に延在する突条が２本形成されている。
【００２４】
このような構成にすると、従来必要であったビスが無くても、メインシャーシに対してトラバースシャーシを回動可能に支持することができるため、そのビスの分だけ部品点数の削減につながる。また、その取付け作業が単なる嵌め込みで足りるため、組立て作業効率が向上する。
【００２５】
また、上記目的を達成するための本発明による光ディスク装置は、光ディスクが収納されるメインシャーシと、このメインシャーシに後端近傍を支持され、その支持個所を支点に回動して前記メインシャーシ内に収納された前記光ディスクの記録面に対し接近／離間移動するトラバースシャーシと、このトラバースシャーシに支持されて前記光ディスクの記録面に沿う径方向に往復移動する光ピックアップユニットと、を備えた光ディスク装置において、前記トラバースシャーシの後端には、左右方向の少なくとも２個所で後方へ向けて突出する第１突起が形成され、前記メインシャーシには、その各第１突起に対応する位置にそれぞれ前方に開口する第１収容凹部が形成されており、前記トラバースシャーシは、前記各第１突起にそれぞれ第１緩衝部材が被せられ、その各第１緩衝部材がそれぞれ前記メインシャーシの前記第１収容凹部に挿入されて嵌め込まれることにより、前記メインシャーシに支持される。
【００２６】
このような構成にすると、従来必要であったビスが無くても、メインシャーシに対してトラバースシャーシを回動可能に支持することができるため、そのビスの分だけ部品点数の削減につながる。また、その取付け作業が単なる嵌め込みで足りるため、組立て作業効率が向上する。
【００２７】
ここで、実用的には、前記第１緩衝部材がゴム製であることが好ましい。
【００２８】
更に、メインシャーシへのトラバースシャーシの支持状態を安定化させる観点から、前記第１緩衝部材は、前記第１突起が挿入されて嵌め込まれる穴を有した直方体状であり、前記第１収容凹部の上下面のうちの少なくとも一方には、前後方向に延在する突条が複数本形成されているとよい。
【００２９】
更に、簡便には、前記第１突起が円柱状であるとよい。
【００３０】
また、より一層の部品点数の削減と組立て作業効率の向上を狙って、前記トラバースシャーシの前端部に取り付けられ、前記トラバースシャーシの回動の駆動を司るシフトレバーを備え、前記トラバースシャーシの前端には、左右方向の少なくとも２個所で前方へ向けて突出する第２突起が形成され、前記シフトレバーには、その各第２突起に対応する位置にそれぞれ後方に開口する第２収容凹部が形成されており、前記シフトレバーは、前記トラバースシャーシの前記各第２突起にそれぞれ第２緩衝部材が被せられ、その各第２緩衝部材がそれぞれ前記第２収容凹部に挿入されて嵌め込まれることにより、前記トラバースシャーシに取り付けられることが好ましい。
【００３１】
ここで、実用的には、前記第２緩衝部材がゴム製であることが好ましい。
【００３２】
更に、トラバースシャーシへのシフトレバーの取付け状態を安定化させる観点から、前記第２緩衝部材は、前記第２突起が挿入されて嵌め込まれる穴を有した直方体状であり、前記第２収容凹部の上下面のうちの少なくとも一方には、前後方向に延在する突条が複数本形成されているとよい。
【００３３】
更に、簡便には、前記第２突起が円柱状であるとよい。
【発明の効果】
【００３４】
本発明の光ディスク装置によれば、メインシャーシに対してトラバースシャーシを回動可能に支持する構造に関して、部品点数を削減できるし、組立て作業効率を向上できることから、その結果としてコスト低減を実現することが可能になる。
【発明を実施するための最良の形態】
【００３５】
以下に、本発明の光ディスク装置の一実施形態について図面を参照しながら詳述する。図１は本発明の一実施形態である光ディスク装置におけるメインシャーシへのトラバースシャーシの支持個所付近を示す分解斜視図、図２はその支持個所の縦断面図、図３はその支持個所の横断面図であって、左右方向に２個所あるうちの１個所が示されている。また、図４はその光ディスク装置におけるトラバースシャーシへのシフトレバーの取付け個所付近を示す分解斜視図、図５はその取付け個所の縦断面図、図６はその取付け個所の横断面図であって、左右方向に２個所あるうちの１個所が示されている。ここでの図１、図４は下面側から見た図を示している。なお、これらの図中で図７と同じ名称で同じ機能を果たす部分には同一の符号を付し、重複する説明は適宜省略する。
【００３６】
本実施形態の光ディスク装置では、従来のものと同じく、トラバースシャーシ２は、メインシャーシ１に対し、後端（図７での上側の端に相当）近傍を左右２個所で第１緩衝部材３１を介在して支持され、その支持個所を支点として回動可能になっている。また、トラバースシャーシ２の前端（図７での下側の端に相当）部には、左右２個所で第２緩衝部材３２を介在してシフトレバー７が一体的に取り付けられている。但し、その第１緩衝部材３１によるメインシャーシ１へのトラバースシャーシ２の支持構造、その第２緩衝部材３２によるトラバースシャーシ２へのシフトレバー７の取付け構造が、次の点で従来のものと大きく異なる。
【００３７】
先ず、第１緩衝部材３１によるメインシャーシ１へのトラバースシャーシ２の支持構造について、図１〜図３を参照しながら説明する。ここで用いられる第１緩衝部材３１は、柔軟なゴム（例えばブチルゴム）等で成形された概ね直方体状のものであって、その１つの面には、詳細は後述するトラバースシャーシ２からの第１突起２１が挿入されて嵌め込まれる円形の穴３１ａが形成されている。トラバースシャーシ２の後端には、左右２個所に、第１緩衝部材３１の穴３１ａとほぼ同径で、後方へ向けて突出する円柱状の第１突起２１が形成されている。
【００３８】
一方メインシャーシ１には、トラバースシャーシ２の各第１突起２１の位置それぞれに対応して、第１緩衝部材３１の形状とほぼ同形状で前方に開口する第１収容凹部１１が形成されている。ここでの第１収容凹部１１の上下面には、前後方向に延在する突条１２Ａ、１２Ｂが２本ずつ形成されている。
【００３９】
このような構成のもと、トラバースシャーシ２の第１突起２１が第１緩衝部材３１の穴３１ａに嵌め込まれ、これにより各第１突起２１にそれぞれ第１緩衝部材３１が被せられた格好になる。そして、これらの各第１緩衝部材３１がそれぞれメインシャーシ１の第１収容凹部１１に挿入されて嵌め込まれる。こうして、トラバースシャーシ２は、その後端近傍を第１緩衝部材３１を介在してメインシャーシ１に支持され、第１緩衝部材３１が許容する弾性変形によりその支持個所を支点として回動可能になる。なおその際、第１緩衝部材３１は、その上下面が第１収容凹部１１内で突条１２Ａ、１２Ｂと局所的に接触しているため、両者間の摩擦抵抗が小さくなり、メインシャーシ１へのトラバースシャーシ２の支持状態、特に回動の際の支持状態が安定する。
【００４０】
このような構成によるトラバースシャーシ２の支持構造では、従来必要であったビス１４１（図７〜図９参照）が無くても、メインシャーシ１に対してトラバースシャーシ２を回動可能に支持することができるため、そのビス１４１の分だけ部品点数の削減につながる。また、その取付け作業が単なる嵌め込みで足りるため、組立て作業効率が向上する。その結果、コスト低減を実現することが可能になる。
【００４１】
続いて、第２緩衝部材３２によるトラバースシャーシ２へのシフトレバー７の取付け構造について、図４〜図６を参照しながら説明する。ここで用いられる第２緩衝部材３２は、上記したメインシャーシ１へのトラバースシャーシ２の支持に用いられる第１緩衝部材３１と同様に、柔軟なゴム（例えばブチルゴム）等で成形された概ね直方体状のものであって、その１つの面には、詳細は後述するトラバースシャーシ２からの第２突起２２が挿入されて嵌め込まれる円形の穴３２ａが形成されている。トラバースシャーシ２の前端には、左右２個所に、第２緩衝部材３２の穴３２ａとほぼ同径で、前方へ向けて突出する円柱状の第２突起２２が形成されている。
【００４２】
一方シフトレバー７には、トラバースシャーシ２の各第２突起２２の位置それぞれに対応して、第２緩衝部材３２の形状とほぼ同形状で後方に開口する第２収容凹部７１が形成されている。ここでの第２収容凹部７１の上下面には、前後方向に延在する突条７２Ａ、７２Ｂが２本ずつ形成されている。
【００４３】
このような構成のもと、トラバースシャーシ２の第２突起２２が第２緩衝部材３２の穴３２ａに嵌め込まれ、これにより各第２突起２２にそれぞれ第２緩衝部材３２が被せられた格好になる。そして、これらの各第２緩衝部材３２がそれぞれシフトレバー７の第２収容凹部７１に挿入されて嵌め込まれる。こうして、シフトレバー７は、第２緩衝部材３２を介在してトラバースシャーシ２の前端部に取り付けられる。なおその際、第２緩衝部材３２は、その上下面が第２収容凹部７１内で突条７２Ａ、７２Ｂと局所的に接触しているため、両者間の摩擦抵抗が小さくなり、トラバースシャーシ２へのシフトレバー７の取付け状態が安定する。
【００４４】
このような構成によるシフトレバー７の取付け構造では、従来必要であったビス１４２（図７、図１０、図１１参照）が無くても、トラバースシャーシ２に対してシフトレバー７を取り付けることができるため、そのビス１４２の分だけ部品点数の削減につながる。また、その取付け作業が単なる嵌め込みで足りるため、組立て作業効率が向上する。つまり、トラバースシャーシ２の支持構造に加えて、より一層の部品点数の削減と組立て作業効率の向上を期待でき、その結果、より一層コスト低減を実現することが可能になる。
【００４５】
その他本発明は上記の実施形態に限定されず、本発明の趣旨を逸脱しない範囲で、種々の変更が可能である。例えば、トラバースシャーシ２の後端から突出する第１突起２１は、左右方向で２個所に限らず、３個所以上あっても構わない。その場合、メインシャーシ１には、その各第１突起２１に対応する位置に、第１収容凹部１１が形成されることになる。同様に、トラバースシャーシ２の前端から突出する第２突起２２は、左右方向で２個所に限らず、３個所以上あっても構わない。その場合、シフトレバー７には、その各第２突起２２に対応する位置に、第２収容凹部７１が形成されることになる。
【００４６】
また、トラバースシャーシ２の後端から突出する第１突起２１の形状は、円柱状に限らず、角柱状であっても構わない。その場合、第１緩衝部材３１の穴３１ａの形状は、その第１突起２１の形状に対応して嵌まり合う形状になる。同様に、トラバースシャーシ２の前端から突出する第２突起２２の形状は、円柱状に限らず、角柱状であっても構わない。その場合、第２緩衝部材３２の穴３２ａの形状は、その第２突起２２の形状に対応して嵌まり合う形状になる。もっとも、成形や組立ての簡便性を考慮すると、第１突起２１や第２突起２２の形状が円柱状で、第１緩衝部材３１や第２緩衝部材３２の穴３１ａ、３２ａの形状が円形であることが好ましい。
【００４７】
また、メインシャーシ１の第１収容凹部１１に形成される突条１２Ａ、１２Ｂは、３本以上あってもよいし、上下面のうちの一方にのみ形成されてもよい。同様に、シフトレバー７の第２収容凹部７１に形成される突条７２Ａ、７２Ｂは、３本以上あってもよいし、上下面のうちの一方にのみ形成されてもよい。
【００４８】
また、第１緩衝部材３１の形状は、直方体状に限らず、円柱状や角柱状であっても構わない。その場合、メインシャーシ１に形成される第１収容凹部１１の形状は、その第１緩衝部材３１の形状に対応して嵌まり合う形状になる。同様に、第２緩衝部材３２の形状は、直方体状に限らず、円柱状や角柱状であっても構わない。その場合、シフトレバー７に形成される第２収容凹部７１の形状は、その第２緩衝部材３２の形状に対応して嵌まり合う形状になる。
【産業上の利用可能性】
【００４９】
本発明は、光ディスクに対して情報の再生や記録を行うための光ディスク装置に有用である。
【図面の簡単な説明】
【００５０】
【図１】本発明の一実施形態である光ディスク装置におけるメインシャーシへのトラバースシャーシの支持個所付近を示す分解斜視図である。
【図２】図１での支持個所の縦断面図である。
【図３】図１での支持個所の横断面図である。
【図４】本発明の一実施形態である光ディスク装置におけるトラバースシャーシへのシフトレバーの取付け個所付近を示す分解斜視図である。
【図５】図４での取付け個所の縦断面図である。
【図６】図４での取付け個所の横断面図である。
【図７】従来の一般的な光ディスク装置の構成を示す平面図である。
【図８】従来の光ディスク装置におけるメインシャーシへのトラバースシャーシの支持個所の縦断面図である。
【図９】図８での支持個所の横断面図である。
【図１０】従来の光ディスク装置におけるトラバースシャーシへのシフトレバーの取付け個所の縦断面図である。
【図１１】図１０での取付け個所の横断面図である。
【符号の説明】
【００５１】
１    メインシャーシ
２    トラバースシャーシ
７    シフトレバー
１１    第１収容凹部
１２Ａ、１２Ｂ    突条
２１    第１突起
２２    第２突起
３１    第１緩衝部材
３１ａ    穴
３２    第２緩衝部材
３２ａ    穴
７１    第２収容凹部
７２Ａ、７２Ｂ    突条
【図１】
2007220223.tif 000003
【図２】
2007220223.tif 000004
【図３】
2007220223.tif 000005
【図４】
2007220223.tif 000006
【図５】
2007220223.tif 000007
【図６】
2007220223.tif 000008
【図７】
2007220223.tif 000009
【図８】
2007220223.tif 000010
【図９】
2007220223.tif 000011
【図１０】
2007220223.tif 000012
【図１１】
2007220223.tif 000013